(57)【要約】【課題】観察者に認識される色が等色関数の個人差に起因してばらつくことが軽減された表示装置を提供する。【解決手段】表示装置（１００）は、それぞれが赤サブ画素（Ｒ）、緑サブ画素（Ｇ）および青サブ画素（Ｂ）から構成された複数の画素（Ｐ）を有する。赤サブ画素、緑サブ画素および青サブ画素から出射される赤色光、緑色光および青色光のスペクトル半値幅は、それぞれ２０ｎｍ以下である。赤色光の主波長は、６３０ｎｍであり、緑色光の主波長は、５２３ｎｍであり、青色光の主波長は、４４７ｎｍである。【選択図】図７
2017219552.tif 000002
【特許請求の範囲】
【請求項１】
それぞれが赤サブ画素、緑サブ画素および青サブ画素から構成された複数の画素を有する表示装置であって、
前記赤サブ画素、前記緑サブ画素および前記青サブ画素から出射される赤色光、緑色光および青色光のスペクトル半値幅は、それぞれ２０ｎｍ以下であり、
前記赤色光の主波長は、６３０ｎｍ以上６７０ｎｍ以下であり、
前記緑色光の主波長は、５２３ｎｍ以上５４３ｎｍ以下であり、
前記青色光の主波長は、４４５ｎｍ以上４６０ｎｍ以下である表示装置。
【請求項２】
それぞれが赤サブ画素、緑サブ画素および青サブ画素から構成された複数の画素を有する表示装置であって、
前記赤サブ画素、前記緑サブ画素および前記青サブ画素から出射される赤色光、緑色光および青色光のスペクトル半値幅は、それぞれ２０ｎｍ以下であり、
前記赤色光の主波長は、６３０ｎｍ以上６５６ｎｍ以下であり、
前記緑色光の主波長は、５２３ｎｍ以上５４７ｎｍ以下であり、
前記青色光の主波長は、４４５ｎｍ以上４６０ｎｍ以下である表示装置。
【請求項３】
それぞれが赤サブ画素、緑サブ画素および青サブ画素から構成された複数の画素を有する表示装置であって、
前記赤サブ画素、前記緑サブ画素および前記青サブ画素から出射される赤色光、緑色光および青色光のスペクトル半値幅は、それぞれ２０ｎｍ以下であり、
前記赤色光の主波長は、６３０ｎｍ以上６４７ｎｍ以下であり、
前記緑色光の主波長は、５２３ｎｍ以上５４０ｎｍ以下であり、
前記青色光の主波長は、４４０ｎｍ以上４６２ｎｍ以下である表示装置。
【請求項４】
それぞれが赤サブ画素、緑サブ画素および青サブ画素から構成された複数の画素を有する表示装置であって、
前記赤サブ画素、前記緑サブ画素および前記青サブ画素から出射される赤色光、緑色光および青色光のスペクトル半値幅は、それぞれ２０ｎｍ以下であり、
前記赤色光の主波長は、６２５ｎｍ以上６５６ｎｍ以下であり、
前記緑色光の主波長は、５２３ｎｍ以上５３０ｎｍ以下であり、
前記青色光の主波長は、４４６ｎｍ以上４５３ｎｍ以下である表示装置。
【請求項５】
それぞれが赤サブ画素、緑サブ画素および青サブ画素から構成された複数の画素を有する表示装置であって、
前記赤サブ画素、前記緑サブ画素および前記青サブ画素から出射される赤色光、緑色光および青色光のスペクトル半値幅は、それぞれ２０ｎｍ以下であり、
前記赤色光、前記緑色光および前記青色光の主波長は、観察者に認識される色の、等色関数の個人差に起因したばらつきΔＥ*ａｂが１．２以下となるように設定されている表示装置。
【発明の詳細な説明】
【技術分野】
【０００１】
本発明は、表示装置に関し、特に、広色域化に適した表示装置に関する。
【背景技術】
【０００２】
近年、表示装置には、いっそうの広色域化（色再現範囲の拡大）が求められている。例えば、表示に用いられる３つの原色である赤、緑および青のスペクトルを狭帯域にすることにより、色再現範囲を拡大することができる。原色のスペクトルを狭帯域にする手法としては、例えば、表示装置の光源として発光ダイオードやレーザ光源を用いることが考えられる。特許文献１には、光源として発光ダイオードまたはレーザ光源を有するバックライトを備えた液晶表示装置が開示されている。
【先行技術文献】
【特許文献】
【０００３】
【特許文献１】特開２０１０−２７７９０１号公報
【発明の概要】
【発明が解決しようとする課題】
【０００４】
しかしながら、広色域化のために三原色（赤、緑および青）のスペクトルの半値幅を狭くすると、三原色の加法混色によって作り出される色（表示装置によって表示される色）に対し、測色・視覚カラーマッチの不一致（個人差）が生じる。つまり、表示装置で同じ色を表示しても、等色関数の個人差により、複数の観察者は各自別の色として認識してしまう。また、この個人差による影響は、三原色の各色のスペクトルの半値幅が狭くなればなるほど、大きくなる傾向がある。
【０００５】
本発明は、上記問題に鑑みてなされたものであり、その目的は、観察者に認識される色が等色関数の個人差に起因してばらつくことが軽減された表示装置を提供することにある。
【課題を解決するための手段】
【０００６】
本発明の実施形態による表示装置は、それぞれが赤サブ画素、緑サブ画素および青サブ画素から構成された複数の画素を有する表示装置であって、前記赤サブ画素、前記緑サブ画素および前記青サブ画素から出射される赤色光、緑色光および青色光のスペクトル半値幅は、それぞれ２０ｎｍ以下であり、前記赤色光の主波長は、６３０ｎｍであり、前記緑色光の主波長は、５２３ｎｍであり、前記青色光の主波長は、４４７ｎｍである。
【０００７】
本発明の他の実施形態による表示装置は、それぞれが赤サブ画素、緑サブ画素および青サブ画素から構成された複数の画素を有する表示装置であって、前記赤サブ画素、前記緑サブ画素および前記青サブ画素から出射される赤色光、緑色光および青色光のスペクトル半値幅は、それぞれ２０ｎｍ以下であり、前記赤色光の主波長は、６３０ｎｍ以上６７０ｎｍ以下であり、前記緑色光の主波長は、５２３ｎｍ以上５４３ｎｍ以下であり、前記青色光の主波長は、４４５ｎｍ以上４６０ｎｍ以下である。
【０００８】
ある実施形態において、前記赤色光の主波長は、６３０ｎｍ以上６６０ｎｍ以下であり、前記緑色光の主波長は、５２３ｎｍ以上５３９ｎｍ以下であり、前記青色光の主波長は、４４８ｎｍ以上４５４ｎｍ以下である。
【０００９】
本発明のさらに他の実施形態による表示装置は、それぞれが赤サブ画素、緑サブ画素および青サブ画素から構成された複数の画素を有する表示装置であって、前記赤サブ画素、前記緑サブ画素および前記青サブ画素から出射される赤色光、緑色光および青色光のスペクトル半値幅は、それぞれ２０ｎｍ以下であり、前記赤色光の主波長は、６３０ｎｍ以上６５６ｎｍ以下であり、前記緑色光の主波長は、５２３ｎｍ以上５４７ｎｍ以下であり、前記青色光の主波長は、４４５ｎｍ以上４６０ｎｍ以下である。
【００１０】
ある実施形態において、前記赤色光の主波長は、６３０ｎｍ以上６４５ｎｍ以下であり、前記緑色光の主波長は、５２３ｎｍ以上５４３ｎｍ以下であり、前記青色光の主波長は、４４８ｎｍ以上４５４ｎｍ以下である。
【００１１】
本発明のさらに他の実施形態による表示装置は、それぞれが赤サブ画素、緑サブ画素および青サブ画素から構成された複数の画素を有する表示装置であって、前記赤サブ画素、前記緑サブ画素および前記青サブ画素から出射される赤色光、緑色光および青色光のスペクトル半値幅は、それぞれ２０ｎｍ以下であり、前記赤色光の主波長は、６３０ｎｍ以上６４７ｎｍ以下であり、前記緑色光の主波長は、５２３ｎｍ以上５４０ｎｍ以下であり、前記青色光の主波長は、４４０ｎｍ以上４６２ｎｍ以下である。
【００１２】
ある実施形態において、前記赤色光の主波長は、６３０ｎｍ以上６４５ｎｍ以下であり、前記緑色光の主波長は、５２３ｎｍ以上５３７ｎｍ以下であり、前記青色光の主波長は、４４４ｎｍ以上４５８ｎｍ以下である。
【００１３】
本発明のさらに他の実施形態による表示装置は、それぞれが赤サブ画素、緑サブ画素および青サブ画素から構成された複数の画素を有する表示装置であって、前記赤サブ画素、前記緑サブ画素および前記青サブ画素から出射される赤色光、緑色光および青色光のスペクトル半値幅は、それぞれ２０ｎｍ以下であり、前記赤色光の主波長は、６２５ｎｍ以上６５６ｎｍ以下であり、前記緑色光の主波長は、５２３ｎｍ以上５３０ｎｍ以下であり、前記青色光の主波長は、４４６ｎｍ以上４５３ｎｍ以下である。
【００１４】
本発明のさらに他の実施形態による表示装置は、それぞれが赤サブ画素、緑サブ画素および青サブ画素から構成された複数の画素を有する表示装置であって、前記赤サブ画素、前記緑サブ画素および前記青サブ画素から出射される赤色光、緑色光および青色光のスペクトル半値幅は、それぞれ２０ｎｍ以下であり、前記赤色光、前記緑色光および前記青色光の主波長は、観察者に認識される色の、等色関数の個人差に起因したばらつきΔＥ*ａｂが１．２以下となるように設定されている。
【００１５】
ある実施形態において、前記赤色光、前記緑色光および前記青色光の主波長は、前記ばらつきΔＥ*ａｂが１．１以下となるように設定されている。
【００１６】
ある実施形態において、前記赤色光、前記緑色光および前記青色光の主波長は、前記ばらつきΔＥ*ａｂが１．０３以下となるように設定されている。
【００１７】
ある実施形態において、上述した構成を有する表示装置は、液晶層を含む液晶表示パネルと、前記液晶表示パネルに光を照射する照明装置と、を備えた液晶表示装置である。
【００１８】
ある実施形態において、前記照明装置は、赤色光源、緑色光源および青色光源を有し、前記赤色光源、前記緑色光源および前記青色光源のそれぞれは、発光ダイオードまたはレーザ光源である。
【発明の効果】
【００１９】
本発明の実施形態によると、観察者に認識される色が等色関数の個人差に起因してばらつくことが軽減された表示装置が提供される。
【図面の簡単な説明】
【００２０】
【図１】本発明の実施形態による表示装置１００を模式的に示す平面図である。
【図２】本発明の実施形態による表示装置１００を模式的に示す断面図である。
【図３】ＭＩ値の計算を行った際の、赤色光、緑色光および青色光の主波長の範囲を示す色度図である。
【図４】ＭＩ値の計算を行った際の評価色である３６０色の色度を示す色度図である。
【図５】（ａ）、（ｂ）および（ｃ）は、Stilesのデータの４７人分の等色関数を示すグラフである。
【図６】（ａ）、（ｂ）および（ｃ）は、ＣＩＥ２００６による２０〜７３歳の年齢条件に対応する等色関数を示すグラフである。
【図７】実施形態１における赤色光源２１ｒ、緑色光源２１ｇおよび青色光源２１ｂの分光特性（発光スペクトル）の例を示すグラフである。
【図８】実施形態２Ａにおける赤色光、緑色光および青色光の主波長の範囲を示す色度図である。
【図９】実施形態２Ｂにおける赤色光、緑色光および青色光の主波長の範囲を示す色度図である。
【図１０】実施形態２Ｃにおける赤色光、緑色光および青色光の主波長の範囲を示す色度図である。
【図１１】緑色光の主波長が５２３ｎｍである場合について、ＭＩ値が１．２以下となる主波長の組み合わせをプロットしたグラフである。
【図１２】緑色光の主波長が５２４ｎｍである場合について、ＭＩ値が１．２以下となる主波長の組み合わせをプロットしたグラフである。
【図１３】緑色光の主波長が５２５ｎｍである場合について、ＭＩ値が１．２以下となる主波長の組み合わせをプロットしたグラフである。
【図１４】緑色光の主波長が５２６ｎｍである場合について、ＭＩ値が１．２以下となる主波長の組み合わせをプロットしたグラフである。
【図１５】緑色光の主波長が５２７ｎｍである場合について、ＭＩ値が１．２以下となる主波長の組み合わせをプロットしたグラフである。
【図１６】緑色光の主波長が５２８ｎｍである場合について、ＭＩ値が１．２以下となる主波長の組み合わせをプロットしたグラフである。
【図１７】緑色光の主波長が５２９ｎｍである場合について、ＭＩ値が１．２以下となる主波長の組み合わせをプロットしたグラフである。
【図１８】緑色光の主波長が５３０ｎｍである場合について、ＭＩ値が１．２以下となる主波長の組み合わせをプロットしたグラフである。
【図１９】緑色光の主波長が５３１ｎｍである場合について、ＭＩ値が１．２以下となる主波長の組み合わせをプロットしたグラフである。
【図２０】緑色光の主波長が５３２ｎｍである場合について、ＭＩ値が１．２以下となる主波長の組み合わせをプロットしたグラフである。
【図２１】緑色光の主波長が５３３ｎｍである場合について、ＭＩ値が１．２以下となる主波長の組み合わせをプロットしたグラフである。
【図２２】緑色光の主波長が５３４ｎｍである場合について、ＭＩ値が１．２以下となる主波長の組み合わせをプロットしたグラフである。
【図２３】緑色光の主波長が５３５ｎｍである場合について、ＭＩ値が１．２以下となる主波長の組み合わせをプロットしたグラフである。
【図２４】緑色光の主波長が５３６ｎｍである場合について、ＭＩ値が１．２以下となる主波長の組み合わせをプロットしたグラフである。
【図２５】緑色光の主波長が５３７ｎｍである場合について、ＭＩ値が１．２以下となる主波長の組み合わせをプロットしたグラフである。
【図２６】緑色光の主波長が５３８ｎｍである場合について、ＭＩ値が１．２以下となる主波長の組み合わせをプロットしたグラフである。
【図２７】緑色光の主波長が５３９ｎｍである場合について、ＭＩ値が１．２以下となる主波長の組み合わせをプロットしたグラフである。
【図２８】緑色光の主波長が５４０ｎｍである場合について、ＭＩ値が１．２以下となる主波長の組み合わせをプロットしたグラフである。
【図２９】緑色光の主波長が５４１ｎｍである場合について、ＭＩ値が１．２以下となる主波長の組み合わせをプロットしたグラフである。
【図３０】緑色光の主波長が５４２ｎｍである場合について、ＭＩ値が１．２以下となる主波長の組み合わせをプロットしたグラフである。
【図３１】緑色光の主波長が５４３ｎｍである場合について、ＭＩ値が１．２以下となる主波長の組み合わせをプロットしたグラフである。
【図３２】緑色光の主波長が５４４ｎｍである場合について、ＭＩ値が１．２以下となる主波長の組み合わせをプロットしたグラフである。
【図３３】緑色光の主波長が５４５ｎｍである場合について、ＭＩ値が１．２以下となる主波長の組み合わせをプロットしたグラフである。
【図３４】緑色光の主波長が５４６ｎｍである場合について、ＭＩ値が１．２以下となる主波長の組み合わせをプロットしたグラフである。
【図３５】緑色光の主波長が５４７ｎｍである場合について、ＭＩ値が１．２以下となる主波長の組み合わせをプロットしたグラフである。
【図３６】緑色光の主波長が５４８ｎｍである場合について、ＭＩ値が１．２以下となる主波長の組み合わせをプロットしたグラフである。
【図３７】緑色光の主波長が５４９ｎｍである場合について、ＭＩ値が１．２以下となる主波長の組み合わせをプロットしたグラフである。
【図３８】緑色光の主波長が５５０ｎｍである場合について、ＭＩ値が１．２以下となる主波長の組み合わせをプロットしたグラフである。
【図３９】実施形態３Ａにおける赤色光、緑色光および青色光の主波長の範囲を示す色度図である。
【図４０】実施形態３Ｂにおける赤色光、緑色光および青色光の主波長の範囲を示す色度図である。
【図４１】実施形態３Ｃにおける赤色光、緑色光および青色光の主波長の範囲を示す色度図である。
【図４２】緑色光の主波長が５２３ｎｍである場合について、ＭＩ値が１．１以下となる主波長の組み合わせをプロットしたグラフである。
【図４３】緑色光の主波長が５２４ｎｍである場合について、ＭＩ値が１．１以下となる主波長の組み合わせをプロットしたグラフである。
【図４４】緑色光の主波長が５２５ｎｍである場合について、ＭＩ値が１．１以下となる主波長の組み合わせをプロットしたグラフである。
【図４５】緑色光の主波長が５２６ｎｍである場合について、ＭＩ値が１．１以下となる主波長の組み合わせをプロットしたグラフである。
【図４６】緑色光の主波長が５２７ｎｍである場合について、ＭＩ値が１．１以下となる主波長の組み合わせをプロットしたグラフである。
【図４７】緑色光の主波長が５２８ｎｍである場合について、ＭＩ値が１．１以下となる主波長の組み合わせをプロットしたグラフである。
【図４８】緑色光の主波長が５２９ｎｍである場合について、ＭＩ値が１．１以下となる主波長の組み合わせをプロットしたグラフである。
【図４９】緑色光の主波長が５３０ｎｍである場合について、ＭＩ値が１．１以下となる主波長の組み合わせをプロットしたグラフである。
【図５０】緑色光の主波長が５３１ｎｍである場合について、ＭＩ値が１．１以下となる主波長の組み合わせをプロットしたグラフである。
【図５１】緑色光の主波長が５３２ｎｍである場合について、ＭＩ値が１．１以下となる主波長の組み合わせをプロットしたグラフである。
【図５２】緑色光の主波長が５３３ｎｍである場合について、ＭＩ値が１．１以下となる主波長の組み合わせをプロットしたグラフである。
【図５３】緑色光の主波長が５３４ｎｍである場合について、ＭＩ値が１．１以下となる主波長の組み合わせをプロットしたグラフである。
【図５４】緑色光の主波長が５３５ｎｍである場合について、ＭＩ値が１．１以下となる主波長の組み合わせをプロットしたグラフである。
【図５５】緑色光の主波長が５３６ｎｍである場合について、ＭＩ値が１．１以下となる主波長の組み合わせをプロットしたグラフである。
【図５６】緑色光の主波長が５３７ｎｍである場合について、ＭＩ値が１．１以下となる主波長の組み合わせをプロットしたグラフである。
【図５７】緑色光の主波長が５３８ｎｍである場合について、ＭＩ値が１．１以下となる主波長の組み合わせをプロットしたグラフである。
【図５８】緑色光の主波長が５３９ｎｍである場合について、ＭＩ値が１．１以下となる主波長の組み合わせをプロットしたグラフである。
【図５９】緑色光の主波長が５４０ｎｍである場合について、ＭＩ値が１．１以下となる主波長の組み合わせをプロットしたグラフである。
【図６０】緑色光の主波長が５４１ｎｍである場合について、ＭＩ値が１．１以下となる主波長の組み合わせをプロットしたグラフである。
【図６１】緑色光の主波長が５４２ｎｍである場合について、ＭＩ値が１．１以下となる主波長の組み合わせをプロットしたグラフである。
【図６２】緑色光の主波長が５４３ｎｍである場合について、ＭＩ値が１．１以下となる主波長の組み合わせをプロットしたグラフである。
【図６３】緑色光の主波長が５４４ｎｍである場合について、ＭＩ値が１．１以下となる主波長の組み合わせをプロットしたグラフである。
【図６４】緑色光の主波長が５４５ｎｍである場合について、ＭＩ値が１．１以下となる主波長の組み合わせをプロットしたグラフである。
【図６５】実施形態４における赤色光、緑色光および青色光の主波長の範囲を示す色度図である。
【図６６】BT.709の三原色の分光特性を示すグラフである。
【図６７】緑色光の主波長が５２３ｎｍである場合について、ＭＩ値が１．０３以下となる主波長の組み合わせをプロットしたグラフである。
【図６８】緑色光の主波長が５２４ｎｍである場合について、ＭＩ値が１．０３以下となる主波長の組み合わせをプロットしたグラフである。
【図６９】緑色光の主波長が５２５ｎｍである場合について、ＭＩ値が１．０３以下となる主波長の組み合わせをプロットしたグラフである。
【図７０】緑色光の主波長が５２６ｎｍである場合について、ＭＩ値が１．０３以下となる主波長の組み合わせをプロットしたグラフである。
【図７１】緑色光の主波長が５２７ｎｍである場合について、ＭＩ値が１．０３以下となる主波長の組み合わせをプロットしたグラフである。
【図７２】緑色光の主波長が５２８ｎｍである場合について、ＭＩ値が１．０３以下となる主波長の組み合わせをプロットしたグラフである。
【図７３】緑色光の主波長が５２９ｎｍである場合について、ＭＩ値が１．０３以下となる主波長の組み合わせをプロットしたグラフである。
【図７４】緑色光の主波長が５３０ｎｍである場合について、ＭＩ値が１．０３以下となる主波長の組み合わせをプロットしたグラフである。
【図７５】緑色光の主波長が５３１ｎｍである場合について、ＭＩ値が１．０３以下となる主波長の組み合わせをプロットしたグラフである。
【図７６】緑色光の主波長が５３２ｎｍである場合について、ＭＩ値が１．０３以下となる主波長の組み合わせをプロットしたグラフである。
【図７７】緑色光の主波長が５３３ｎｍである場合について、ＭＩ値が１．０３以下となる主波長の組み合わせをプロットしたグラフである。
【図７８】緑色光の主波長が５３４ｎｍである場合について、ＭＩ値が１．０３以下となる主波長の組み合わせをプロットしたグラフである。
【図７９】緑色光の主波長が５３５ｎｍである場合について、ＭＩ値が１．０３以下となる主波長の組み合わせをプロットしたグラフである。
【発明を実施するための形態】
【００２１】
現在、デジタルハイビジョン放送用の放送信号のフォーマットは、ITU-R BT.709規格（以下では単に「BT.709」と呼ぶこともある）に準拠したものであるが、近年提唱されているスーパーハイビジョン（8K Ultra High Definition Television）放送では、放送信号のフォーマットは、ITU-R BT.2020規格（以下では単に「BT.2020」と呼ぶこともある）に準拠したものとなる。
【００２２】
BT.2020の色域は、BT.709の色域よりも広い。そのため、BT.2020に準拠したフォーマットの画像信号が入力される表示装置には、BT.709の色域よりも広い色域（色再現範囲）を有することが要求される。
【００２３】
しかしながら、本願発明者の検討によれば、表示装置の三原色（赤、緑、青）の色度を、単純にBT.2020の三原色の色度に一致させると、観察者に認識される色の、等色関数の個人差に起因するばらつきが大きくなってしまうことがわかった。BT.2020の三原色の色度およびそれに対応する単色光の波長（主波長）は、下記表１に示す通りである。なお、表１には、基準白色（Ｄ６５標準光源）の色度も示されている。
【００２４】
【表１】
2017219552.tif 000003
【００２５】
以下、図面を参照しながら本発明の実施形態を説明する。なお、本発明は以下の実施形態に限定されるものではない。
【００２６】
図１および図２に、本発明の実施形態による表示装置１００を示す。図１は、表示装置１００を模式的に示す平面図であり、図２は、表示装置１００を模式的に示す断面図である。
【００２７】
表示装置１００は、図１および図２に示すように、液晶表示パネル１０と、液晶表示パネル１０に光を照射する照明装置（バックライト）２０とを備えた液晶表示装置である。また、表示装置１００は、複数の画素Ｐを有する。
【００２８】
液晶表示パネル１０は、背面側（照明装置２０側）に配置された第１基板（アクティブマトリクス基板）１１と、観察者側に配置された第２基板（対向基板）１２と、これらの間に設けられた液晶層１３とを含む。
【００２９】
複数の画素Ｐは、行および列を有するマトリクス状に配列されている。複数の画素Ｐのそれぞれは、赤サブ画素Ｒ、緑サブ画素Ｇおよび青サブ画素Ｂから構成されている。本実施形態では、赤サブ画素Ｒ、緑サブ画素Ｇおよび青サブ画素Ｂから出射される赤色光、緑色光および青色光のスペクトル半値幅は、それぞれ２０ｎｍ以下（好ましくは１５ｎｍ以下）である。
【００３０】
液晶表示パネル１０の第１基板１１および第２基板１２は、それぞれ不図示の電極や配向膜を含んでおり、第２基板１２は、さらに、赤サブ画素Ｒ、緑サブ画素Ｇおよび青サブ画素Ｂに対応して設けられた赤カラーフィルタ１４ｒ、緑カラーフィルタ１４ｇおよび青カラーフィルタ１４ｂを含んでいる。
【００３１】
照明装置２０は、赤色光を発する赤色光源２１ｒと、緑色光を発する緑色光源２１ｇと、青色光を発する青色光源２１ｂとを有する。赤色光源２１ｒ、緑色光源２１ｇおよび青色光源２１ｂの発光スペクトルの半値幅は、それぞれ２０ｎｍ以下である。つまり、赤色光源２１ｒ、緑色光源２１ｇおよび青色光源２１ｂは、比較的狭帯域の発光スペクトルを有する。
【００３２】
赤色光源２１ｒ、緑色光源２１ｇおよび青色光源２１ｂのそれぞれは、例えば、発光ダイオード（ＬＥＤ）またはレーザ光源である。ＬＥＤは、液晶表示装置の照明装置用の光源として従来一般的に用いられてきた冷陰極管（ＣＣＦＬ）に比べて発光スペクトルの半値幅が小さいので、ＬＥＤを赤色光源２１ｒ、緑色光源２１ｇおよび青色光源２１ｂとして用いることにより、半値幅が２０ｎｍ以下の発光スペクトルを容易に実現することができる。また、レーザ光源を赤色光源２１ｒ、緑色光源２１ｇおよび青色光源２１ｂとして用いることにより、半値幅がいっそう小さい（例えば数ｎｍ程度）発光スペクトルを容易に実現することができる。レーザ光源としては、例えば、半導体レーザダイオードを用いることができる。赤色光を発する半導体レーザダイオードとしては、例えばＡｌＧａＩｎＰ系の半導体レーザダイオードを用いることができる。また、緑色光を発する半導体レーザダイオードとしては、例えばＩｎＧａＮ系またはＺｅＳｅ系の半導体レーザダイオードを用いることができ、青色光を発する半導体レーザダイオードとしては、例えばＧａＮ系またはＩｎＧａＮ系の半導体レーザダイオードを用いることができる。
【００３３】
本願発明者は、表示に用いる３原色の色度、つまり、赤サブ画素Ｒ、緑サブ画素Ｇおよび青サブ画素Ｂから出射される赤色光、緑色光および青色光の主波長と、観察者に認識される色の、等色関数の個人差に起因したばらつきΔＥ*ａｂとの関係について極めて詳細な検証を行った。そして、本発明の実施形態による表示装置１００では、赤色光、緑色光および青色光の主波長は、上記のばらつきΔＥ*ａｂ（以下ではＭＩ（メタリズムインデックス）値とも呼ぶ）が所定値以下となるように設定されている。具体的には、赤色光、緑色光および青色光の主波長は、ＭＩ値が１．２以下（好ましくは１．１以下、より好ましくは１．０３以下）となるように設定されている。そのため、等色関数の個人差に起因する色のばらつきが軽減される。
【００３４】
ここで、ＭＩ値の計算方法（観察者に認識される色のばらつきの評価方法）を説明する。図３に示すように、赤色光の主波長を６２５〜７００ｎｍ、緑色光の主波長を５２３〜５５０ｎｍ、青色光の主波長を４００〜４７５ｎｍの範囲で１ｎｍごとに変化させ、上記範囲内におけるすべての主波長の組み合わせについてＭＩ値の計算を行った。ＭＩ値の計算は、具体的には、以下のようにして行った。
【００３５】
（１）加法混色によりＤ６５標準光源と同じ白となるように赤、緑および青の係数（強度）Ｒｗ、ＧｗおよびＢｗを調整・決定する。
【００３６】
（２）Ｌ：７５の等知覚明度面上においてＣab：２２、ｈ：０〜３５９度で１度間隔のＣＩＥＬＡＢ値となる３６０色のうちからさらに１色（ここではＣ１とする）をピックアップし、加法混色によりこの色Ｃ１となるように赤、緑および青の係数（強度）Ｒｃ１、Ｇｃ１およびＢｃ１を調整・決定する。評価色である３６０色（＃１〜３６０）の色度は、下記表２〜表５および図４に示す通りである。
【００３７】
【表２】
2017219552.tif 000004
【００３８】
【表３】
2017219552.tif 000005
【００３９】
【表４】
2017219552.tif 000006
【００４０】
【表５】
2017219552.tif 000007
【００４１】
（３）Ｄ６５標準光源と測色的に等しくなるように調整されたディスプレイの白色およびピックアップされた色Ｃ１について、（Stilesのデータ（例えば「Wyszecki, G., & Stiles, W. S. (1982). Color Science: concepts and methods, quantitative data and formulae. (2nd ed.). New York: Wiley.」参照）における４７人）＋（ＣＩＥ２００６による２０〜７３歳の年齢条件）分の等色関数を用いて各自に知覚される色（Xwi, Ywi, Zwi）、（Xi, Yi, Zi）を算出する。ＣＩＥ２００６は、年齢による等色関数の変化を計算できる規格であり、モデル式を用いて年齢ごとの等色関数を算出することができる。Stilesのデータの４７人分の等色関数は、図５（ａ）、（ｂ）および（ｃ）に示す通りである。ＣＩＥ２００６による２０〜７３歳の年齢条件に対応する等色関数は、図６（ａ）、（ｂ）および（ｃ）に示す通りである。
【００４２】
（４）Ｄ６５標準光源と測色的に等しくなるように調整されたディスプレイの白色およびピックアップされた色Ｃ１について、ＣＩＥの標準等色関数を用い、標準等色関数で観察が行われた場合に知覚されるであろう色（Xwcie, Ywcie, Zwcie）、（Xcie, Ycie, Zcie）を算出する。
【００４３】
（５）上記工程（３）で算出された（Xwi, Ywi, Zwi）、（Xi, Yi, Zi）から、（L*i, a*i, b*i）を算出する。（L*i, a*i, b*i）は、下記式［１］〜［３］により算出される。
【００４４】
L*i=116f(Yi/Ywi)-16            ・・・［１］
a*i=500[f(Xi/Xwi)-f(Yi/Ywi)]    ・・・［２］
b*i=200[f(Yi/Ywi)-f(Zi/Zwi)]    ・・・［３］
【００４５】
ここで、ｔ＞（６／２９）3の場合、ｆ（ｔ）＝ｔ-3であり、それ以外の場合には、ｆ（ｔ）＝（１／３）（２９／６）2ｔ＋（４／２９）である。
【００４６】
（６）同様にして、上記工程（４）で算出された（Xwcie, Ywcie, Zwcie）、（Xcie, Ycie, Zcie）から、（L*cie, a*cie, b*cie）を算出する。
【００４７】
（７）上記工程（５）および（６）で算出された（L*i, a*i, b*i）および（L*cie, a*cie, b*cie）から、ΔＥ*ａｂを算出する。ΔＥ*ａｂは、下記式［４］により算出される。
ΔE*ab=[(L*cie-L*i)2+(a*cie-a*i)2+(b*cie-b*i)2]1/2      ・・・［４］
【００４８】
（８）（４７人）＋（２０〜７３歳）分のΔＥ*ａｂを平均することによって、色Ｃ１についてのΔＥ*ａｂを求める。
【００４９】
（９）同様にして、残りの３５９色についてもΔＥ*ａｂを求め、さらに、３６０色の平均のΔＥ*ａｂ（＝ＭＩ値）を求める。
【００５０】
上記の手法により、表示装置の三原色、つまり、赤サブ画素、緑サブ画素および青サブ画素から出射される赤色光、緑色光および青色光の主波長を、BT.2020の三原色に対応する主波長（表１参照）に設定したときのＭＩ値を計算したところ、１．３３であった。一般に、２つの物体の色差が１．２を超えると、それらを並べて判定した場合にほとんどの人が容易に色差を認めることができるとされている（「新編 色彩科学ハンドブック 第２版 日本色彩学会編 東京大学出版会 pp.288-290」参照）。そのため、表示装置の三原色（赤、緑、青）の色度を、単純にBT.2020の三原色の色度に一致させた場合、観察者に認識される色の、等色関数の個人差に起因するばらつきが大きいといえる。これに対し、本発明の実施形態による表示装置１００では、赤サブ画素Ｒ、緑サブ画素Ｇおよび青サブ画素Ｂから出射される赤色光、緑色光および青色光の主波長が、以下に説明する実施形態１〜４のように設定されていることにより、ＭＩ値を１．２以下とすることができる。以下、実施形態１〜４を具体的に説明する。
【００５１】
（実施形態１）
実施形態１では、赤色光の主波長は６３０ｎｍであり、緑色光の主波長は５２３ｎｍであり、青色光の主波長は４４７ｎｍである。図７に、実施形態１における赤色光源２１ｒ、緑色光源２１ｇおよび青色光源２１ｂ（それぞれＬＥＤである）の分光特性（発光スペクトル）の例を示す。既に説明したように、BT.2020の三原色に対応する主波長は６３０ｎｍ、５３２ｎｍおよび４６７ｎｍ（４６７．１ｎｍ）である。これに対し、実施形態１では、図７に示すように、緑色光の主波長および青色光の主波長を、BT.2020に対応する主波長と異ならせ、それぞれ５２３ｎｍ、４４７ｎｍとしている。
【００５２】
赤色光、緑色光および青色光の主波長を実施形態１のように設定することにより、表示装置１００の三原色の色度がBT.2020の三原色の色度近傍で広色域を保ったまま、観察者に認識される色の、等色関数の個人差に起因したばらつき（ＭＩ値）をほぼ最少（約０．９９）にすることができる。
【００５３】
（実施形態２Ａ、２Ｂ、２Ｃ）
図８に、実施形態２Ａにおける赤色光、緑色光および青色光の主波長の範囲を示す。図８に示すように、実施形態２Ａでは、赤色光の主波長は６３０ｎｍ以上６７０ｎｍ以下であり、緑色光の主波長は５２３ｎｍ以上５４３ｎｍ以下であり、青色光の主波長は４４５ｎｍ以上４６０ｎｍ以下である。実施形態２Ａでは、赤色光の主波長の範囲が、後述する実施形態２Ｂおよび２Ｃにおける赤色光の主波長の範囲よりも広い。
【００５４】
図９に、実施形態２Ｂにおける赤色光、緑色光および青色光の主波長の範囲を示す。図９に示すように、実施形態２Ｂでは、赤色光の主波長は６３０ｎｍ以上６５６ｎｍ以下であり、緑色光の主波長は５２３ｎｍ以上５４７ｎｍ以下であり、青色光の主波長は４４５ｎｍ以上４６０ｎｍ以下である。実施形態２Ｂでは、緑色光の主波長の範囲が、上述した実施形態２Ａおよび後述する実施形態２Ｃにおける緑色光の主波長の範囲よりも広い。
【００５５】
図１０に、実施形態２Ｃにおける赤色光、緑色光および青色光の主波長の範囲を示す。図１０に示すように、実施形態２Ｃでは、赤色光の主波長は６３０ｎｍ以上６４７ｎｍ以下であり、緑色光の主波長は５２３ｎｍ以上５４０ｎｍ以下であり、青色光の主波長は４４０ｎｍ以上４６２ｎｍ以下である。実施形態２Ｃでは、青色光の主波長の範囲が、上述した実施形態２Ａおよび２Ｂにおける青色光の主波長の範囲よりも広い。
【００５６】
実施形態２Ａ、２Ｂおよび２Ｃでは、赤色光、緑色光および青色光の主波長が上記範囲に設定されていることにより、ＭＩ値を１．２以下にすることができる。そのため、等色関数の個人差に起因する色のばらつきを小さくすることができる。
【００５７】
図１１〜図３８に、赤色光、緑色光および青色光を既に説明した検証範囲（それぞれ６２５〜７００ｎｍ、５２３〜５５０ｎｍ、４００〜４７５ｎｍ）内で変化させ、ＭＩ値の計算を行った結果を示す。図１１〜図３８は、青色光の主波長を横軸、赤色光の主波長を縦軸にとり、ＭＩ値が１．２以下となる場合をプロットしたグラフである。
【００５８】
図１１〜図３８から、実施形態２Ａのように、赤色光の主波長を６３０ｎｍ以上６７０ｎｍ以下、緑色光の主波長を５２３ｎｍ以上５４３ｎｍ以下、青色光の主波長を４４５ｎｍ以上４６０ｎｍ以下とすることにより、ＭＩ値を１．２以下にし得ることがわかる。
【００５９】
また、図１１〜図３８から、実施形態２Ｂのように、赤色光の主波長を６３０ｎｍ以上６５６ｎｍ以下、緑色光の主波長を５２３ｎｍ以上５４７ｎｍ以下、青色光の主波長を４４５ｎｍ以上４６０ｎｍ以下とすることによっても、ＭＩ値を１．２以下にし得ることがわかる。
【００６０】
さらに、図１１〜図３８から、実施形態２Ｃのように、赤色光の主波長を６３０ｎｍ以上６４７ｎｍ以下、緑色光の主波長を５２３ｎｍ以上５４０ｎｍ以下、青色光の主波長を４４０ｎｍ以上４６２ｎｍ以下とすることによっても、ＭＩ値を１．２以下にし得ることがわかる。
【００６１】
（実施形態３Ａ、３Ｂ、３Ｃ）
図３９に、実施形態３Ａにおける赤色光、緑色光および青色光の主波長の範囲を示す。図３９に示すように、実施形態３Ａでは、赤色光の主波長は６３０ｎｍ以上６６０ｎｍ以下であり、緑色光の主波長は５２３ｎｍ以上５３９ｎｍ以下であり、青色光の主波長は４４８ｎｍ以上４５４ｎｍ以下である。実施形態３Ａでは、赤色光の主波長の範囲が、後述する実施形態３Ｂおよび３Ｃにおける赤色光の主波長の範囲よりも広い。
【００６２】
図４０に、実施形態３Ｂにおける赤色光、緑色光および青色光の主波長の範囲を示す。図４０に示すように、実施形態３Ｂでは、赤色光の主波長は６３０ｎｍ以上６４５ｎｍ以下であり、緑色光の主波長は５２３ｎｍ以上５４３ｎｍ以下であり、青色光の主波長は４４８ｎｍ以上４５４ｎｍ以下である。実施形態３Ｂでは、緑色光の主波長の範囲が、上述した実施形態３Ａおよび後述する実施形態３Ｃにおける緑色光の主波長の範囲よりも広い。
【００６３】
図４１に、実施形態３Ｃにおける赤色光、緑色光および青色光の主波長の範囲を示す。図４１に示すように、実施形態３Ｃでは、赤色光の主波長は６３０ｎｍ以上６４５ｎｍ以下であり、緑色光の主波長は５２３ｎｍ以上５３７ｎｍ以下であり、青色光の主波長は４４４ｎｍ以上４５８ｎｍ以下である。実施形態３Ｃでは、青色光の主波長の範囲が、上述した実施形態３Ａおよび３Ｂにおける青色光の主波長の範囲よりも広い。
【００６４】
実施形態３Ａ、３Ｂおよび３Ｃでは、赤色光、緑色光および青色光の主波長が上記範囲に設定されていることにより、ＭＩ値を１．１以下にすることができる。そのため、等色関数の個人差に起因する色のばらつきをいっそう小さくすることができる。
【００６５】
図４２〜図６４に、赤色光、緑色光および青色光を既に説明した検証範囲内で変化させ、ＭＩ値の計算を行った結果を示す。図４２〜図６４は、青色光の主波長を横軸、赤色光の主波長を縦軸にとり、ＭＩ値が１．１以下となる場合をプロットしたグラフである。
【００６６】
図４２〜図６４から、実施形態３Ａのように、赤色光の主波長を６３０ｎｍ以上６６０ｎｍ以下、緑色光の主波長を５２３ｎｍ以上５３９ｎｍ以下、青色光の主波長を４４８ｎｍ以上４５４ｎｍ以下とすることにより、ＭＩ値を１．１以下にし得ることがわかる。
【００６７】
また、図４２〜図６４から、実施形態３Ｂのように、赤色光の主波長を６３０ｎｍ以上６４５ｎｍ以下、緑色光の主波長を５２３ｎｍ以上５４３ｎｍ以下、青色光の主波長を４４８ｎｍ以上４５４ｎｍ以下とすることによっても、ＭＩ値を１．１以下にし得ることがわかる。
【００６８】
さらに、図４２〜図６４から、実施形態３Ｃのように、赤色光の主波長を６３０ｎｍ以上６４５ｎｍ以下、緑色光の主波長を５２３ｎｍ以上５３７ｎｍ以下、青色光の主波長を４４４ｎｍ以上４５８ｎｍ以下とすることによっても、ＭＩ値を１．１以下にし得ることがわかる。
【００６９】
（実施形態４）
図６５に、実施形態４における赤色光、緑色光および青色光の主波長の範囲を示す。図６５に示すように、実施形態４では、赤色光の主波長は６２５ｎｍ以上６５６ｎｍ以下であり、緑色光の主波長は５２３ｎｍ以上５３０ｎｍ以下であり、青色光の主波長は４４６ｎｍ以上４５３ｎｍ以下である。
【００７０】
実施形態４では、赤色光、緑色光および青色光の主波長が上記範囲に設定されていることにより、ＭＩ値を１．０３以下にすることができる。そのため、等色関数の個人差に起因する色のばらつきをよりいっそう小さくすることができる。
【００７１】
図６６に、BT.709の三原色の分光特性を示す。図６６に示す分光特性を用いてＭＩ値を計算したところ、ＭＩ値は１．０３であった。従って、実施形態４のようにＭＩ値が１．０３以下であるということは、等色関数の個人差に起因する色のばらつきを、BT.709の色域を有する表示装置以下にすることができるということである。
【００７２】
図６７〜図７９に、赤色光、緑色光および青色光を既に説明した検証範囲内で変化させ、ＭＩ値の計算を行った結果を示す。図６７〜図７９は、青色光の主波長を横軸、赤色光の主波長を縦軸にとり、ＭＩ値が１．０３以下となる場合をプロットしたグラフである。
【００７３】
図６７〜図７９から、実施形態４のように、赤色光の主波長を６２５ｎｍ以上６５６ｎｍ以下、緑色光の主波長を５２３ｎｍ以上５３０ｎｍ以下、青色光の主波長を４４６ｎｍ以上４５３ｎｍ以下とすることにより、ＭＩ値を１．０３以下にし得ることがわかる。
【００７４】
（その他の実施形態）
図１１〜図３８からわかるように、上述した実施形態２Ａ、２Ｂおよび２Ｃの主波長範囲以外にも、ＭＩ値（ΔＥ*ａｂ）が１．２以下になる主波長の組み合わせは存在する。従って、赤色光、緑色光および青色光の主波長をそのような組み合わせに設定することによっても、等色関数の個人差に起因する色のばらつきを小さくすることができる。
【００７５】
また、図４２〜図６４からわかるように、上述した実施形態３Ａ、３Ｂおよび３Ｃの主波長範囲以外にも、ＭＩ値が１．１以下になる主波長の組み合わせは存在する。従って、赤色光、緑色光および青色光の主波長をそのような組み合わせに設定することによっても、等色関数の個人差に起因する色のばらつきをいっそう小さくすることができる。
【００７６】
さらに、図６７〜図７９からわかるように、上述した実施形態４の主波長範囲以外にも、ＭＩ値が１．０３以下になる主波長の組み合わせは存在する。従って、赤色光、緑色光および青色光の主波長をそのような組み合わせに設定することによっても、等色関数の個人差に起因する色のばらつきをよりいっそう小さく（BT.709の色域の表示装置以下に）することができる。
【００７７】
なお、既に説明したことからわかるように、本発明の実施形態による表示装置１００では、三原色（赤、緑および青）のうちの少なくとも１つの色度が、BT.2020の三原色の色度とは異なっているが、表示装置１００の色域をBT.2020の色域になるべく近くする観点からは、表示装置１００の三原色の色度は、なるべくBT.2020の色度近傍であることが好ましい。表示装置１００のBT.2020の面積（ｘｙ平面）カバー率は、８１％以上であることが好ましく、９０％以上であることがより好ましい。
【００７８】
また、上記の説明では、液晶表示装置を例示したが、本発明の実施形態による表示装置は、液晶表示装置に限定されるものではない。本発明の実施形態による表示装置は、有機ＥＬ表示装置や無機ＥＬ表示装置のような、自発光型の表示装置であってもよい。
【００７９】
本明細書は、以下の項目に記載の表示装置を開示している。
【００８０】
［項目１］
それぞれが赤サブ画素、緑サブ画素および青サブ画素から構成された複数の画素を有する表示装置であって、
前記赤サブ画素、前記緑サブ画素および前記青サブ画素から出射される赤色光、緑色光および青色光のスペクトル半値幅は、それぞれ２０ｎｍ以下であり、
前記赤色光の主波長は、６３０ｎｍであり、
前記緑色光の主波長は、５２３ｎｍであり、
前記青色光の主波長は、４４７ｎｍである表示装置。
【００８１】
項目１に記載の表示装置によると、観察者に認識される色が等色関数の個人差に起因してばらつくことが軽減される。より具体的には、三原色の色度がBT.2020の三原色の色度近傍で広色域を保ったまま、ＭＩ値（ΔＥ*ａｂ）をほぼ最少（約０．９９）にすることができる。
【００８２】
［項目２］
それぞれが赤サブ画素、緑サブ画素および青サブ画素から構成された複数の画素を有する表示装置であって、
前記赤サブ画素、前記緑サブ画素および前記青サブ画素から出射される赤色光、緑色光および青色光のスペクトル半値幅は、それぞれ２０ｎｍ以下であり、
前記赤色光の主波長は、６３０ｎｍ以上６７０ｎｍ以下であり、
前記緑色光の主波長は、５２３ｎｍ以上５４３ｎｍ以下であり、
前記青色光の主波長は、４４５ｎｍ以上４６０ｎｍ以下である表示装置。
【００８３】
項目２に記載の表示装置によると、ＭＩ値を１．２以下とすることができ、観察者に認識される色が等色関数の個人差に起因してばらつくことが軽減される。
【００８４】
［項目３］
前記赤色光の主波長は、６３０ｎｍ以上６６０ｎｍ以下であり、
前記緑色光の主波長は、５２３ｎｍ以上５３９ｎｍ以下であり、
前記青色光の主波長は、４４８ｎｍ以上４５４ｎｍ以下である項目２に記載の表示装置。
【００８５】
項目３に記載の表示装置によると、ＭＩ値を１．１以下とすることができ、等色関数の個人差に起因する色のばらつきがいっそう軽減される。
【００８６】
［項目４］
それぞれが赤サブ画素、緑サブ画素および青サブ画素から構成された複数の画素を有する表示装置であって、
前記赤サブ画素、前記緑サブ画素および前記青サブ画素から出射される赤色光、緑色光および青色光のスペクトル半値幅は、それぞれ２０ｎｍ以下であり、
前記赤色光の主波長は、６３０ｎｍ以上６５６ｎｍ以下であり、
前記緑色光の主波長は、５２３ｎｍ以上５４７ｎｍ以下であり、
前記青色光の主波長は、４４５ｎｍ以上４６０ｎｍ以下である表示装置。
【００８７】
項目４に記載の表示装置によると、ＭＩ値を１．２以下とすることができ、観察者に認識される色が等色関数の個人差に起因してばらつくことが軽減される。
【００８８】
［項目５］
前記赤色光の主波長は、６３０ｎｍ以上６４５ｎｍ以下であり、
前記緑色光の主波長は、５２３ｎｍ以上５４３ｎｍ以下であり、
前記青色光の主波長は、４４８ｎｍ以上４５４ｎｍ以下である項目４に記載の表示装置。
【００８９】
項目５に記載の表示装置によると、ＭＩ値を１．１以下とすることができ、等色関数の個人差に起因する色のばらつきがいっそう軽減される。
【００９０】
［項目６］
それぞれが赤サブ画素、緑サブ画素および青サブ画素から構成された複数の画素を有する表示装置であって、
前記赤サブ画素、前記緑サブ画素および前記青サブ画素から出射される赤色光、緑色光および青色光のスペクトル半値幅は、それぞれ２０ｎｍ以下であり、
前記赤色光の主波長は、６３０ｎｍ以上６４７ｎｍ以下であり、
前記緑色光の主波長は、５２３ｎｍ以上５４０ｎｍ以下であり、
前記青色光の主波長は、４４０ｎｍ以上４６２ｎｍ以下である表示装置。
【００９１】
項目６に記載の表示装置によると、ＭＩ値を１．２以下とすることができ、観察者に認識される色が等色関数の個人差に起因してばらつくことが軽減される。
【００９２】
［項目７］
前記赤色光の主波長は、６３０ｎｍ以上６４５ｎｍ以下であり、
前記緑色光の主波長は、５２３ｎｍ以上５３７ｎｍ以下であり、
前記青色光の主波長は、４４４ｎｍ以上４５８ｎｍ以下である項目６に記載の表示装置。
【００９３】
項目７に記載の表示装置によると、ＭＩ値を１．１以下とすることができ、等色関数の個人差に起因する色のばらつきがいっそう軽減される。
【００９４】
［項目８］
それぞれが赤サブ画素、緑サブ画素および青サブ画素から構成された複数の画素を有する表示装置であって、
前記赤サブ画素、前記緑サブ画素および前記青サブ画素から出射される赤色光、緑色光および青色光のスペクトル半値幅は、それぞれ２０ｎｍ以下であり、
前記赤色光の主波長は、６２５ｎｍ以上６５６ｎｍ以下であり、
前記緑色光の主波長は、５２３ｎｍ以上５３０ｎｍ以下であり、
前記青色光の主波長は、４４６ｎｍ以上４５３ｎｍ以下である表示装置。
【００９５】
項目８に記載の表示装置によると、ＭＩ値を１．０３以下とすることができ、等色関数の個人差に起因する色のばらつきがよりいっそう軽減される。
【００９６】
［項目９］
それぞれが赤サブ画素、緑サブ画素および青サブ画素から構成された複数の画素を有する表示装置であって、
前記赤サブ画素、前記緑サブ画素および前記青サブ画素から出射される赤色光、緑色光および青色光のスペクトル半値幅は、それぞれ２０ｎｍ以下であり、
前記赤色光、前記緑色光および前記青色光の主波長は、観察者に認識される色の、等色関数の個人差に起因したばらつきΔＥ*ａｂが１．２以下となるように設定されている表示装置。
【００９７】
項目９に記載の表示装置によると、観察者に認識される色が等色関数の個人差に起因してばらつくことが軽減される。
【００９８】
［項目１０］
前記赤色光、前記緑色光および前記青色光の主波長は、前記ばらつきΔＥ*ａｂが１．１以下となるように設定されている項目９に記載の表示装置。
【００９９】
項目１０に記載の表示装置によると、等色関数の個人差に起因する色のばらつきがいっそう軽減される。
【０１００】
［項目１１］
前記赤色光、前記緑色光および前記青色光の主波長は、前記ばらつきΔＥ*ａｂが１．０３以下となるように設定されている項目９に記載の表示装置。
【０１０１】
項目１１に記載の表示装置によると、等色関数の個人差に起因する色のばらつきがよりいっそう軽減される。
【０１０２】
［項目１２］
液晶層を含む液晶表示パネルと、
前記液晶表示パネルに光を照射する照明装置と、を備えた液晶表示装置である項目１から１１のいずれかに記載の表示装置。
【０１０３】
［項目１３］
前記照明装置は、赤色光源、緑色光源および青色光源を有し、
前記赤色光源、前記緑色光源および前記青色光源のそれぞれは、発光ダイオードまたはレーザ光源である項目１２に記載の表示装置。
【産業上の利用可能性】
【０１０４】
本発明の実施形態によると、観察者に認識される色が等色関数の個人差に起因してばらつくことが軽減された表示装置が提供される。
【符号の説明】
【０１０５】
１０    液晶表示パネル
１１    第１基板（アクティブマトリクス基板）
１２    第２基板（対向基板）
１３    液晶層
１４ｒ    赤カラーフィルタ
１４ｇ    緑カラーフィルタ
１４ｂ    青カラーフィルタ
２０    照明装置（バックライト）
２１ｒ    赤色光源
２１ｇ    緑色光源
２１ｂ    青色光源
１００    表示装置
Ｐ    画素
Ｒ    赤サブ画素
Ｇ    緑サブ画素
Ｂ    青サブ画素
【図１】
2017219552.tif 000008
【図２】
2017219552.tif 000009
【図３】
2017219552.tif 000010
【図４】
2017219552.tif 000011
【図５】
2017219552.tif 000012
【図６】
2017219552.tif 000013
【図７】
2017219552.tif 000014
【図８】
2017219552.tif 000015
【図９】
2017219552.tif 000016
【図１０】
2017219552.tif 000017
【図１１】
2017219552.tif 000018
【図１２】
2017219552.tif 000019
【図１３】
2017219552.tif 000020
【図１４】
2017219552.tif 000021
【図１５】
2017219552.tif 000022
【図１６】
2017219552.tif 000023
【図１７】
2017219552.tif 000024
【図１８】
2017219552.tif 000025
【図１９】
2017219552.tif 000026
【図２０】
2017219552.tif 000027
【図２１】
2017219552.tif 000028
【図２２】
2017219552.tif 000029
【図２３】
2017219552.tif 000030
【図２４】
2017219552.tif 000031
【図２５】
2017219552.tif 000032
【図２６】
2017219552.tif 000033
【図２７】
2017219552.tif 000034
【図２８】
2017219552.tif 000035
【図２９】
2017219552.tif 000036
【図３０】
2017219552.tif 000037
【図３１】
2017219552.tif 000038
【図３２】
2017219552.tif 000039
【図３３】
2017219552.tif 000040
【図３４】
2017219552.tif 000041
【図３５】
2017219552.tif 000042
【図３６】
2017219552.tif 000043
【図３７】
2017219552.tif 000044
【図３８】
2017219552.tif 000045
【図３９】
2017219552.tif 000046
【図４０】
2017219552.tif 000047
【図４１】
2017219552.tif 000048
【図４２】
2017219552.tif 000049
【図４３】
2017219552.tif 000050
【図４４】
2017219552.tif 000051
【図４５】
2017219552.tif 000052
【図４６】
2017219552.tif 000053
【図４７】
2017219552.tif 000054
【図４８】
2017219552.tif 000055
【図４９】
2017219552.tif 000056
【図５０】
2017219552.tif 000057
【図５１】
2017219552.tif 000058
【図５２】
2017219552.tif 000059
【図５３】
2017219552.tif 000060
【図５４】
2017219552.tif 000061
【図５５】
2017219552.tif 000062
【図５６】
2017219552.tif 000063
【図５７】
2017219552.tif 000064
【図５８】
2017219552.tif 000065
【図５９】
2017219552.tif 000066
【図６０】
2017219552.tif 000067
【図６１】
2017219552.tif 000068
【図６２】
2017219552.tif 000069
【図６３】
2017219552.tif 000070
【図６４】
2017219552.tif 000071
【図６５】
2017219552.tif 000072
【図６６】
2017219552.tif 000073
【図６７】
2017219552.tif 000074
【図６８】
2017219552.tif 000075
【図６９】
2017219552.tif 000076
【図７０】
2017219552.tif 000077
【図７１】
2017219552.tif 000078
【図７２】
2017219552.tif 000079
【図７３】
2017219552.tif 000080
【図７４】
2017219552.tif 000081
【図７５】
2017219552.tif 000082
【図７６】
2017219552.tif 000083
【図７７】
2017219552.tif 000084
【図７８】
2017219552.tif 000085
【図７９】
2017219552.tif 000086